(57)【特許請求の範囲】
【請求項１】
複合動力手入れ装置において、
ａ．上端と下端との間に延びる長手方向軸を有するハンドルであって、
１）前記上端に隣接して配置され、少なくとも１つの可動刃を含むトリマー組立体と、
２）
ａ）駆動軸を有するモータ、並びに
ｂ）前記駆動軸及び前記トリマー組立体に連結される駆動機構を含むとともに前記ハンドルの中に配置される電気的構成と、を含み、
トリミングモードでは、前記駆動機構が、前記駆動軸の動きを前記可動刃に伝達する、ハンドルと、
ｂ．前記上端に取り付けられるように適合された手入れ用アッタチメントと、
ｃ．前記駆動軸に取り付けられた偏心おもりと、
ｄ．前記駆動軸に取り付けられた釣り合いおもりと、
ｅ．前記駆動機構を前記トリマー組立体又は前記駆動軸から分離するための、前記手入れ用アッタチメントによって係合可能な分離機構とを備え、
前記駆動機構を分離することによって手入れモードを画定し、
前記トリミングモードでは、前記偏心おもりと前記釣り合いおもりとが少なくとも実質的にバランスがとれており、前記手入れモードでは、前記偏心おもりと前記釣り合いおもりとが実質的にバランスがとれていない、複合動力手入れ装置。
【請求項２】
前記手入れ用アッタチメントは、かみそり組立体、電気かみそり組立体、歯ブラシ組立体、ブラシ組立体、鼻毛トリマー組立体、耳毛トリマー組立体、エクスフォリエータ組立体、及びこれらの組み合わせからなる群から選択される、請求項１に記載の手入れ装置。
【請求項３】
前記手入れ用アッタチメントは、前記手入れモードにおいて前記駆動機構と連結するように構成されている、請求項１に記載の手入れ装置。
【請求項４】
前記駆動軸は、底部から分離可能な上部を含む、請求項１に記載の手入れ装置。
【請求項５】
前記電気的構成は、
ａ．前記駆動軸の前記上部に回転自在に取り付けられ、前記トリマー組立体が前記手入れモードにあるときに、少なくとも前記ハンドルを振動させる偏心おもりと、
ｂ．前記駆動軸の前記底部に取り付けられ、かつ前記分離機構に接続される第１のギアと、
ｃ．前記駆動軸に隣接して配置され、かつ上部と底部と、を含む、第２のギアと、を更に備え、
前記分離機構が前記手入れ用アッタチメントに係合することにより、前記駆動軸の前記上部が前記駆動軸の前記底部から分離され、前記第２のギアの前記底部が前記第１のギアに係合し、かつ前記第２のギアの前記上部が前記偏心おもりに係合することによって画定される前記手入れモードになり、これにより、前記第１のギアの回転が前記第２のギアの回転により前記偏心おもりに伝達される、請求項４に記載の手入れ装置。
【請求項６】
前記電気的構成は、
ａ．前記駆動軸の前記底部に回転自在に取り付けられ、前記トリマー組立体が前記手入れモードにあるときに、少なくとも前記ハンドルを振動させる偏心おもりと、
ｂ．前記偏心おもりに隣接する前記駆動軸の前記底部に取り付けられた可動装置と、を更に含み、
前記トリミングモードにあるときに、前記可動装置は、前記上部及び前記底部の両方に沿って摺動自在に配置され、かつ前記底部の回転を前記上部に伝達するように構成され、  前記分離機構が前記手入れ用アッタチメントに係合することにより、前記可動装置が前記底部に沿って摺動自在に配置されかつ前記偏心おもりに係合されることによって画定される前記手入れモードになる、請求項４に記載の手入れ装置。
【請求項７】
請求項１に記載の手入れ装置と、クリーニングブラシ、トリマー櫛、清浄液、布、電源コード、電池、カバー、複数のかみそりカートリッジ、かみそりカートリッジディスペンサー、潤滑油、練り歯磨き、ユーザーに適用する流体、スタンド、充電ステーション、及びこれらの組み合わせからなる群から選択される付属品と、を含むキット。
【請求項８】
請求項１に記載の手入れ装置と、かみそり組立体、電気かみそり組立体、歯ブラシ組立体、ブラシ組立体、鼻毛トリマー組立体、耳毛トリマー組立体、エクスフォリエータ組立体、及びこれらの組み合わせからなる群から選択される手入れ用アッタチメントと、を含むキット。
【請求項９】
複合動力手入れ装置において、
ａ．上端と下端との間に延びる長手方向軸を有するハンドルであって、
１）前記上端に隣接して配置され、少なくとも１つの可動刃を含むトリマー組立体と、
２）
ａ）駆動軸を有するモータ、並びに
ｂ）前記駆動軸及び前記トリマー組立体に連結される駆動機構を含むとともに前記ハンドルの中に配置される電気的構成と、を含み、
トリミングモードでは、前記駆動機構が、前記駆動軸の動きを前記可動刃に伝達する、ハンドルと、
ｂ．かみそりカートリッジに接続されるカートリッジ接続構造を有するかみそり組立体を含む、前記上端に取り付けられるように適合された手入れ用アッタチメントと、
ｃ．前記駆動軸に取り付けられた偏心おもりと、
ｄ．前記駆動軸に取り付けられた釣り合いおもりと、
ｅ．前記駆動機構を前記トリマー組立体又は前記駆動軸から分離するための、前記手入れ用アッタチメントによって係合可能な分離機構とを備え、
前記かみそりカートリッジは、その中に取り付けられた少なくとも１つの細長い刃を含み、
前記駆動機構を分離することによって手入れモードを画定し、
前記トリミングモードでは、前記偏心おもりと前記釣り合いおもりとが少なくとも実質的にバランスがとれており、前記手入れモードでは、前記偏心おもりと前記釣り合いおもりとが実質的にバランスがとれていない、複合動力手入れ装置。
【発明の詳細な説明】
【技術分野】
【０００１】
本発明は、複合動力手入れ装置に関する。
【背景技術】
【０００２】
消費者の大部分は、顔の毛の外観を変えたいと思うたびに、例えば、かみそり、はさみ及び電気トリマーといった複数の手入れ道具を取り扱うのは、不便になり得ると感じている。更に、これら異なる装置全てを持って移動するのは煩雑であり、多くのスペースを必要とする。
【発明の概要】
【発明が解決しようとする課題】
【０００３】
したがって、複数の器具を取り扱うという不便な習慣を克服し、かつトリミング装置と他の手入れ機能を組み合わせた装置を提供する必要性が存在する。
【課題を解決するための手段】
【０００４】
一態様において、本発明は、広くは、ハンドルと手入れ用アッタチメントとを備える複合動力手入れ装置を特徴とする。ハンドルは、上端と下端との間に延びる長手方向軸を有する。ハンドルは、上端に隣接して配置されるトリマー組立体を含み、トリマー組立体は少なくとも１つの可動刃を有する。ハンドルは、その中に配置される電気的構成を更に含む。電気的構成は、駆動軸と、駆動軸及びトリマー組立体に連結される駆動機構とを有するモータを含む。トリミングモードにおいて、駆動機構は、駆動軸の動きを可動刃に伝達する。手入れ用アッタチメントは、上端に取り付けられるように適合される。
【０００５】
別の態様において、本発明は、広くは、ハンドルと手入れ用アッタチメントとを備える複合動力手入れ装置を特徴とする。ハンドルは、上端と下端との間に延びる長手方向軸を有する。ハンドルは、上端に隣接して配置されるトリマー組立体を含み、トリマー組立体は少なくとも１つの可動刃を有する。ハンドルは、その中に配置される電気的構成を更に含む。電気的構成は、駆動軸と、駆動軸及びトリマー組立体に連結される駆動機構とを有するモータを含む。トリミングモードにおいて、駆動機構は、駆動軸の動きを可動刃に伝達する。手入れ用アッタチメントは、上端に取り付けられるように適合される。手入れ用アッタチメントは、その中に取り付けられた少なくとも１つの細長い刃を有するかみそりカートリッジに接続されたカートリッジ接続構造を含むかみそり組立体を含む。
【０００６】
更に別の態様では、本発明は、広くは、複合動力手入れ装置の使用方法を特徴とする。当該方法は、上端と下端との間に延びる長手方向軸を有するハンドルを提供する工程を含む。ハンドルは、上端に隣接して配置されるトリマー組立体を含み、トリマー組立体は少なくとも１つの可動刃を含む。ハンドルは、その中に配置される電気的構成を更に含む。電気的構成は、駆動軸と、駆動軸及びトリマー組立体に連結される駆動機構とを有するモータを含む。トリミングモードにおいて、駆動機構は、駆動軸の動きを可動刃に伝達する。当該方法は、上端に手入れ用アッタチメントを取り付ける工程を更に含む。
【０００７】
本発明の他の特徴及び利点は、説明及び図面、並びに特許請求の範囲から明らかになる。
【図面の簡単な説明】
【０００８】
【図１】ハンドルに取り付けられた手入れ用アッタチメントを含む、本発明の複合動力手入れ装置の斜視図。
【図１Ａ】図１のＩ−Ｉに沿った断面図。
【図１Ｂ】手入れ用アッタチメントがハンドルから分離した状態の、図１の装置の斜視図。
【図２Ａ】トリミングモードにある図１ＢのハンドルのＩＩ−ＩＩに沿った断面図。
【図２Ｂ】手入れモードにある図１ＢのハンドルのＩＩ−ＩＩに沿った断面図。
【図３】トリマー櫛が取り付けられた状態の、本発明の複合動力手入れ装置の部分断面図。
【図４Ａ】手入れモードにある図１の手入れ装置のモータ、偏心おもり、及び釣り合いおもりの実施形態の正面図。
【図４Ｂ】トリミングモードにある図４Ａの実施形態の正面図。
【図４Ｃ】図４Ａの実施形態の平面図。
【図４Ｄ】図４Ｂの実施形態の平面図。
【図５Ａ】トリミングモードにある図１の手入れ装置の、電気的構成、トリマー組立体、及び分離機構の実施形態の正面図。
【図５Ｂ】手入れモードにある図５Ａの実施形態の正面図。
【図６Ａ】トリミングモードにある図１の手入れ装置の、電気的構成、トリマー組立体、及び分離機構の別の実施形態の正面図。
【図６Ｂ】手入れモードにある図６Ａの実施形態の正面図。
【図７】かみそり組立体を備えた本発明の複合動力手入れ装置の実施形態の部分断面図。
【図８】電気かみそり組立体を備えた本発明の複合動力手入れ装置の別の実施形態の部分断面図。
【図９】歯ブラシ組立体を備えた本発明の複合動力手入れ装置の別の実施形態の部分断面図。
【図１０】鼻毛組立体を備えた本発明の複合動力手入れ装置の代替実施形態の部分断面図。
【図１１】エクスフォリエータ組立体を備えた複合動力手入れ装置の更なる実施形態の部分断面図。
【図１２Ａ】トリミングモードにある電気的構成及びトリマー組立体の実施形態の斜視図。
【図１２Ｂ】手入れモードにある図１２Ａの実施形態の斜視図。
【図１３Ａ】トリミングモードにある別の実施形態の正面図。
【図１３Ｂ】手入れモードにある図１３Ａの実施形態の正面図。
【図１４Ａ】トリミングモードにある別の実施形態の部分断面図。
【図１４Ｂ】手入れモードにある図１４Ａの実施形態の部分断面図。
【図１５Ａ】トリミングモードにある実施形態の部分断面図。
【図１５Ｂ】手入れモードにある図１５Ａの実施形態の部分断面図。
【図１６Ａ】トリミングモードにある実施形態の部分断面図。
【図１６Ｂ】手入れモードにある図１６Ａの実施形態の部分断面図。
【発明を実施するための形態】
【０００９】
図１〜図２Ｂを参照すると、本開示は、ハンドル（２００）と、ハンドル（２００）に取り付けられた手入れ用アッタチメント（３００）とを含む複合動力手入れ装置（１００）を示している。図１Ａは、線Ｉ−Ｉで切断した図１の装置の断面図を示している。ハンドル（２００）は、上端（２０４）と下端（２０６）との間に延びる長手方向軸（２０２）を有する。一実施形態において、ハンドル（２００）は、約３５ｍｍ未満、又は更には約２７ｍｍ未満の幅を有してもよい。トリマー組立体（２０８）は、ハンドル（２００）の上端（２０４）に隣接して配置され、かつ少なくとも１つの可動刃（２１０）を含む。ハンドル（２００）は、内部構成要素、即ち、電気的構成（２１２）が液体に対して不透過性であるように、作動中にユーザーによって保持されるように構成されてもよい。ハンドル（２００）の下端（２０６）は、これら構成要素にアクセスするための、着脱自在に取り付けられたキャップを含んでもよい。
【００１０】
電気的構成（２１２）は、ハンドル（２００）の中に配置されて、トリマー組立体（２０８）を作動させるための電力を供給するように構成される。電気的構成（２１２）は、モータ（２１４）と駆動機構（２１８）とを含む。モータ（２１４）は、可動刃（２１０）を駆動するための駆動軸（２１６）を有し、少なくともハンドル（２００）を振動させることもできる。一実施形態では、モータ（２１４）は、約１８ｍｍ未満の直径と、５５％以下の最大効率と、最大効率において約０．８ｍＮｍ未満の出力トルクとを有する。
【００１１】
駆動機構（２１８）は、駆動軸（２１６）及びトリマー組立体（２０８）に連結されてもよい。図２Ａに示されるトリミングモードでは、駆動機構（２１８）はトリマー組立体（２０８）に連結され、駆動軸（２１６）の回転運動を、可動刃（２１０）の横方向往復運動に変換する。トリミングモードでは、トリマー組立体（２０８）は、典型的には、可動刃（２１０）を前後に往復運動させることによって作動する電動トリマーとして機能する。可動刃（２１０）は、典型的には、モータ（２１４）の電源が入れられて可動刃（２１０）の歯群が固定歯の歯群を通過するときに、はさみ方式で毛髪を切断するように作動する、一連の歯群を有する。トリマー櫛（２３８）は、髪を所望の長さにトリミングするために、図３に示されるようにトリマー組立体の上に配置されてもよい。
【００１２】
図２Ｂに示される手入れモードでは、駆動機構（２１８）が連結された状態又はされていない状態の駆動軸（２１６）が回転するが、かかる動きが可動刃（２１０）に伝わらないように、駆動機構（２１８）はトリマー組立体（２０８）から分離される。この構成では、モータ（２１４）は引き続き作動して、少なくともハンドルを振動させるが、電力はもはやトリミング組立体（２０８）に供給されないので、これにより可動刃（２１０）の動きは停止する。
【００１３】
電気的構成（２１２）はまた、電源、コントローラ、プリント基板（「ＰＣＢ」）、スイッチ、及びＰＣＢに動作可能に接続されているライトを含んでよい。様々な電源、例えば、放射、運動、位置、熱、電磁、重力、音響エネルギー、光エネルギー、電源、電磁波源、化学源、及びこれらの組み合わせを使用してもよい。電気的構成（２１２）はまた、エネルギー蓄積装置、例えば、コイン電池、二重層コンデンサ、太陽電池、電池、又は他の好適な蓄積装置を含んでもよい。一実施例では、エネルギー蓄積装置は、外付けの充電ステーションを介して誘導充電をもたらすように構成されてよい。ハンドル（２００）は、その上に配置されるスイッチを含んでもよく、該スイッチは電気的構成（２１２）と動作連通する。これに加えて、スイッチはまた、電気的構成（２１２）上の光源によって照射されてもよい。
【００１４】
図１〜図１Ｂに示されるように、手入れ用アッタチメント（３００）は、ハンドル（２００）の上端（２０４）上に取り付けられる。この装着は、スナップ嵌め接続、締まりばめ、又は手入れ用アッタチメント（３００）をハンドル（２００）に固定するための他の好適な様式によって達成され得る。図のように、手入れ用アッタチメント（３００）は、かみそりカートリッジ（３０６）に接続されるカートリッジ接続構造（３０４）を有するかみそり組立体（３０２）である。かみそりカートリッジ（３０６）は、その中に取り付けられる少なくとも１つの細長い刃（３０８）を含む。例えば、米国特許第７，１６８，１７３号は、一般に、Ｔｈｅ  Ｇｉｌｌｅｔｔｅ  Ｃｏｍｐａｎｙから市販の、複数の刃と固定トリミング刃とを備えるＦｕｓｉｏｎ（登録商標）かみそりを記載している。更に、米国特許第６，１８５，８２３号は、Ｔｈｅ  Ｇｉｌｌｅｔｔｅ  Ｃｏｍｐａｎｙから市販の、複数の刃を有する楕円形の枠のカートリッジを有するＶｅｎｕｓ（登録商標）かみそりを記載している。手入れ用アッタチメント（３００）はまた、かみそりカートリッジ（３０６）を接続構造（３０４）に着脱自在に取り付けるための取り外し機構を含んでいてもよい。
【００１５】
図４Ａ〜図４Ｄを参照すると、駆動軸（２１６）は、それに取り付けられる偏心おもり（２２０）を含んでもよい。偏心おもり（２２０）は、少なくともハンドル（２００）を振動させてもよい。あるいは、偏心おもり（２２０）は、可動刃（２１０）の動きを相殺することによって、トリマー組立体（２０８）のまわりの振動を低減してもよい。図のように、偏心おもり（２２０）は、駆動機構（２１８）を駆動するためのクランクレバー（２２２）を含む。トリミングモードでは、可動刃（２１０）を作動させるために、クランクレバー（２２２）は、駆動軸（２１６）の回転を駆動機構（２１８）に伝達する。手入れモードでは、クランクレバー（２２２）は、一般に、駆動軸（２１６）及びモータ軸の上方に配置され、クランクレバー（２２２）はクランキングせずに回転する、即ち、トリマー組立体（２０８）は作動しないが、ハンドル（２００）は振動し続ける。
【００１６】
釣り合いおもり（２２４）もまた、駆動軸（２１６）に取り付けられてもよい。図４Ｂ及び４Ｄに示されるトリミングモードでは、トリマー組立体（２０８）がクランクレバー（２２２）によって駆動されるように、偏心おもり（２２０）及び釣り合いおもり（２２２）は、少なくとも実質的にバランスがとれている。図４Ａ及び４Ｃに示される手入れモードでは、偏心おもり（２２０）及び釣り合いおもり（２２２）は、実質的にバランスがとれていない。トリミングモードと手入れモードとの間の切り替えは、モータ（２１４）の回転の向きを変えることによって行うことができる。例えば、時計方向への回転は、偏心おもり（２２０）の慣性モーメントを均衡位置に移動させる。反時計方向への回転は、偏心おもりの慣性モーメントを不均衡位置に移動させる。
【００１７】
図５Ａ〜図６Ｂを参照すると、ハンドル（２００）は、手入れ用アッタチメント（３００）によって係合可能な分離機構（２２６）を含んでもよい。分離機構（２２６）を係合することにより、駆動機構（２２６）をトリマー組立体（２０８）及び／又は駆動軸（２１６）全体から分離させて、これにより手入れモードにする。例えば、図のように、分離機構（２２６）はバネ仕掛けであり、長手方向軸（２０２）に略平行な方向に移動可能である。トリミングモードでは、分離機構（２２６）は、図５Ａ及び６Ａに示される休止位置にある。手入れ用アッタチメント（３００）に係合すると、即ち、手入れ用アッタチメント（３００）をトリマー組立体（２０８）の上に取り付けると、分離機構（２２６）は略下向き方向に移動して、図５Ｂ及び６Ｂに示される手入れモードになる。手入れ用アッタチメント（３００）を取り外すと、バネによって分離機構（２２６）が休止位置に戻る。トリマー組立体（２０８）及び／又は駆動軸（２１６）全体のいずれかから駆動機構（２２６）を分離するための他の好適な方法（例えば、電気的又は電気機械的な方法）もまた想到される。更に、駆動軸（２１６）は、上部（２１６ａ）と底部（２１６ｂ）とに分離可能であり得る。
【００１８】
ここで図５Ａ及び５Ｂを参照すると、電気的構成（２１２）は、駆動軸（２１６）の上部（２１６ａ）に回転自在に取り付けられた偏心おもり（２２８）と、駆動軸（２１６）の底部（２１６ｂ）に取り付けられ、かつ分離機構（２２６）に接続された第１のギア（２３０）とを含む。電気的構成（２１２）はまた、上部（２３２ａ）と底部（２３２ｂ）とを有し、駆動軸（２１６）に隣接して配置された第２のギア（２３２）を含む。トリマー組立体（２０８）が手入れモードにあるときに、偏心おもり（２２８）は少なくともハンドル（２００）を振動させる。図５Ａに示されるようなトリミングモードでは、底部（２１６ｂ）の回転は、上部（２１６ａ）、及び最終的には可動刃（２０８）に伝達される。しかしながら、トリミングモードでは、偏心おもり（２２８）は回転しない。
【００１９】
分離機構（２２６）を手入れ用アッタチメント（３００）に係合することにより、図５Ａに示されるトリミングモードから、図５Ｂに示される手入れモードにシフトする。手入れモードでは、駆動軸（２１６）の上部（２１６ａ）は、駆動軸（２１６）の底部（２１６ｂ）から分離し、第２のギア（２３２）の底部（２３２ｂ）は第１のギア（２３０）に係合し、第２のギア（２３２）の上部（２３２ａ）は偏心おもり（２２８）に係合する。この構成では、第２のギア（２３２）が回転することによって、第１のギア（２３０）の回転は偏心おもり（２２８）に伝達され、これにより少なくともハンドル（２００）上の振動運動が増大する。
【００２０】
図６Ａ及び６Ｂを参照すると、電気的構成（２１２）は、駆動軸（２１６）の底部（２１６ｂ）に回転自在に取り付けられた偏心おもり（２３４）を含んでいる。可動装置（２３６）はまた、偏心おもり（２３４）に隣接する駆動軸（２１６）の底部（２１６ｂ）に取り付けられる。トリマー組立体（２０８）が手入れモードにあるとき、偏心おもり（２３４）は少なくともハンドル（２００）を振動させる。トリミングモードでは、図６Ａに示されるように、可動装置（２３６）は、駆動軸（２１６）の上（２１６ａ）及び底（２１６ｂ）部分の両方に沿って摺動自在に配置され、かつ駆動軸（２１６）の底部（２１６ｂ）の回転を、駆動軸（２１６）の上部（２１６ａ）に伝達するように構成される。この構成では、偏心おもり（２３４）は回転しない。図６Ｂに示されるように、分離機構（２２６）を手入れ用アッタチメント（３００）に係合することにより、トリミングモードは手入れモードにシフトする。手入れモードでは、可動装置（２３６）は、底部（２１６ｂ）に沿って摺動自在に配置され、かつ偏心おもりに係合し、これにより少なくともハンドル（２００）上の振動運動が増大する。
【００２１】
更に、装置（１００）は、キット又はパッケージの中に一緒に入れられてもよい。キットは、本発明の装置と、クリーニングブラシ、トリマー櫛、清浄液、布、電源コード、電池、カバー、かみそりカートリッジ、潤滑油、練り歯磨き、ユーザーに適用する流体、及びこれらの組み合わせからなる群から選択される付属品と、を含む。その他の好適な付属品が想到される。あるいは、キットは、装置（１００）と、かみそり組立体、電気かみそり組立体、歯ブラシ組立体、ブラシ組立体、鼻毛トリマー組立体、耳毛トリマー組立体、エクスフォリエータ組立体、及びこれらの組み合わせからなる群から選択される手入れ用アッタチメントと、を含んでもよい。
【００２２】
図７〜図１１は、上端（２０４）の上に取り付けることができる他の手入れ用アッタチメント、例えば、かみそり組立体（５０２）、電気かみそり組立体（５０４）、歯ブラシ組立体（５０６）、鼻毛トリマー組立体（５０８）、エクスフォリエータ組立体（５１０）、及びこれらの組み合わせを示している。他の好適な手入れ用アッタチメントもまた使用することができる。いくつかの実施形態では、手入れ用アッタチメントは、トリマー組立体（２０８）が手入れモードにあるときに、駆動機構（２１８）と連結するように構成されてもよい。
【００２３】
本開示はまた、複合動力手入れ装置の使用方法を特徴とする。当該方法は、ハンドルを提供することと、手入れ用アッタチメントを上端に取り付けることとを含む。ハンドルは、上端と下端との間に延びる長手方向軸を有する。ハンドルは、上端に隣接して配置されたトリマー組立体を含み、当該トリマー組立体は、少なくとも１つの可動刃を有する。ハンドルは、その中に配置された電気的構成を有する。電気的構成は、駆動軸と、駆動軸及びトリマー組立体に連結される駆動機構とを含む。トリミングモーでは、駆動機構は、駆動軸の動きを可動刃に伝達する。
【００２４】
当該方法はまた、トリマー組立体又は手入れモードを画定する駆動軸から、駆動機構を分離する後続工程を含んでもよい。分離工程は、図２Ａ、図２Ｂ及び図１２Ａ〜１６Ｂに示されるような様々なやり方で行われてもよい。例えば、分離工程（７０６）は、駆動軸の回転を順方向から逆方向に変えることによって達成されてもよい。あるいは、分離工程（７０６）は、図２Ａ及び２Ｂに示されるように、トリマー組立体を長手方向軸に対して略直角な方向に動かすことによって達成されてもよい。図２Ａは、トリミングモードにあるトリマー組立体（２０８）を示している。トリマー組立体（２０８）を長手方向軸（２０２）に対して略直角な方向に傾けることによって（図２Ｂに図示）駆動機構（２１８）を分離して、手入れモードにする。
【００２５】
図１２Ａ及び１２Ｂを参照すると、様々な角度でトリミングするために、トリマー組立体（２０８）は旋回可能であり得る。図のように、トリマー組立体（２０８）は、最小旋回角度と最大旋回角度との間で旋回可能である。トリミングモードにおいて、トリマー組立体（２０８）は、長手方向軸（２０２）から約１５度を超える角度で旋回する。手入れモードにおいて、トリマー組立体（２０８）は、１５度以下の角度で配置される。トリマー組立体（２０８）が、手入れモードにおいて分離され、かつトリミングモードにおいて作動可能である限り、他の角度が想到される。あるいは、図１３Ａは、トリミングモードにあるトリマー組立体（２０８）を示している。図１３Ｂに示されるように、長手方向軸（２０２）に対して略直角な方向にトリマー組立体（２０８）を摺動させることによって、トリマー組立体（２０８）を分離することができる。
【００２６】
図１４Ａ及び１４Ｂを参照すると、長手方向軸（２０２）のまわりでトリマー組立体（２０８）を回転させることによって、駆動機構（２１８）を分離することも可能である。あるいは、図１５Ａ及び１５Ｂに示されるように、トリミングモードにあるトリマー組立体（２０８）と駆動機構（２１６）との間の距離（ｄ１）が、分離した後のトリマー組立体と駆動機構との間の距離（ｄ２）より小さくなるように、長手方向軸（２０２）に対して略平行な方向にトリマー組立体（２０８）を動かしてもよい。ここで図１６Ａ及び１６Ｂを参照すると、トリミングモードにあるモータ（２１４）とトリマー組立体（２０８）との間の距離（ｄ３）が、分離後のモータ（２１４）とトリマー組立体（２０８）との間の距離（ｄ４）より小さくなるように、モータ（２０４）又はその任意の部分を、長手方向軸（２０２）に対して略平行な方向に動かしてもよい。
【００２７】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００２８】
明示的に除外されるか、あるいは限定されない限り、本願に引用するすべての文書は、相互参照する、又は関連するいかなる特許又は特許出願をも含めて、参照によってそれらのすべての内容が本願に組み込まれる。いかなる文書の引用も、それが、本願にて開示若しくは特許請求される発明に対する先行技術であること、あるいはそれが単独で又は任意の他の参照文献との組み合わせで、そのようないかなる発明をも教示、暗示、又は開示することを認めるものではない。更に、本書における用語の意味又は定義が、参照によって組み込まれる文書における同じ用語の意味又は定義と対立する限りにおいて、本書においてその用語に与えられた意味又は定義が優先されるものとする。
【００２９】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005270011.tif 000002
【図１Ａ】
0005270011.tif 000003
【図１Ｂ】
0005270011.tif 000004
【図２Ａ】
0005270011.tif 000005
【図２Ｂ】
0005270011.tif 000006
【図３】
0005270011.tif 000007
【図４Ａ】
0005270011.tif 000008
【図４Ｂ】
0005270011.tif 000009
【図４Ｃ】
0005270011.tif 000010
【図４Ｄ】
0005270011.tif 000011
【図５Ａ】
0005270011.tif 000012
【図５Ｂ】
0005270011.tif 000013
【図６Ａ】
0005270011.tif 000014
【図６Ｂ】
0005270011.tif 000015
【図７】
0005270011.tif 000016
【図８】
0005270011.tif 000017
【図９】
0005270011.tif 000018
【図１０】
0005270011.tif 000019
【図１１】
0005270011.tif 000020
【図１２Ａ】
0005270011.tif 000021
【図１２Ｂ】
0005270011.tif 000022
【図１３Ａ】
0005270011.tif 000023
【図１３Ｂ】
0005270011.tif 000024
【図１４Ａ】
0005270011.tif 000025
【図１４Ｂ】
0005270011.tif 000026
【図１５Ａ】
0005270011.tif 000027
【図１５Ｂ】
0005270011.tif 000028
【図１６Ａ】
0005270011.tif 000029
【図１６Ｂ】
0005270011.tif 000030